(57)【要約】【課題】アンプ機器、及びそのアンプ機器を含むＡＶシステムにおいて、携帯情報機器から、無線の経路と有線経路の両方の経路で音声信号を受信することができるときに、音声信号の取得経路を自動的に有線経路にして、安定した通信を行うことができ、しかも、映像と音声にずれが生じにくくする。【解決手段】ＡＶアンプは、携帯電話機から無線の経路で音声信号を受信することができる場合に（Ｓ１でＹＥＳ）、無線経路を介して携帯電話機から、携帯電話機の機器情報を取得した上で（Ｓ２）、有線経路を介して受信した機器情報の中に、上記の携帯電話機の機器情報が含まれているか否かを判定する。この結果、携帯電話機の機器情報が含まれていると判定したときに（Ｓ５でＹＥＳ）、有線経路を介して携帯電話機から音声信号を受信することができると判定し、携帯電話機からの音声信号の取得経路を、無線の経路から、有線経路に自動的に切り換える（Ｓ６）。【選択図】図３
2012227571.tif 000002
【特許請求の範囲】
【請求項１】
携帯情報機器と無線で通信するための無線通信手段と、
前記携帯情報機器に有線で接続された表示機器と有線で通信するための有線通信手段とを備え、
前記表示機器と有線で接続されたときに、前記表示機器を介して前記携帯情報機器から、有線のみを使用した有線経路で音声信号を受信可能であり、
前記有線経路を介して前記有線通信手段により前記携帯情報機器から受信した音声信号、又は前記無線通信手段により前記携帯情報機器から受信した音声信号を、増幅して出力するアンプ機器において、
前記無線通信手段により前記携帯情報機器から音声信号を受信することができるときに、前記有線経路を介して前記有線通信手段により前記携帯情報機器から音声信号を受信することができるか否かを判定する有線経路使用可否判定手段と、
前記有線経路使用可否判定手段により、前記有線経路を介して前記携帯情報機器から音声信号を受信することができると判定されたときに、前記携帯情報機器からの音声信号の取得経路を、前記無線通信手段による無線の経路から、前記有線経路に切り換える音声信号取得経路切換手段とをさらに備えたことを特徴とするアンプ機器。
【請求項２】
前記有線経路使用可否判定手段は、前記有線経路を介して前記有線通信手段により受信した機器情報と、前記無線通信手段により前記携帯情報機器から受信した機器情報とに基づいて、前記有線経路を介して前記有線通信手段により受信した機器情報の中に、前記携帯情報機器についての機器情報が含まれていると判定したときに、前記有線経路を介して前記有線通信手段により前記携帯情報機器から音声信号を受信することができると判定することを特徴とする請求項１に記載のアンプ機器。
【請求項３】
前記表示機器と前記有線経路とを介して前記有線通信手段により前記携帯情報機器から受信する音声信号は、前記表示機器が前記携帯情報機器から受信する映像信号と同期がとれた信号であることを特徴とする請求項１又は請求項２に記載のアンプ機器。
【請求項４】
前記表示機器とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続されており、前記有線通信手段は、前記表示機器とＨＤＭＩの規格に応じた通信を行うことを特徴とする請求項１乃至請求項３のいずれか一項に記載のアンプ機器。
【請求項５】
前記無線通信手段は、前記携帯情報機器とＢｌｕｅｔｏｏｔｈの規格に応じた通信を行うことを特徴とする請求項１乃至請求項４のいずれか一項に記載のアンプ機器。
【請求項６】
請求項４に記載のアンプ機器と携帯情報機器と表示機器とを含むＡＶ（Ａｕｄｉｏ  ａｎｄ  Ｖｉｓｕａｌ）システムにおいて、
前記携帯情報機器と前記表示機器とは、ＭＨＬ（Ｍｏｂｉｌｅ  Ｈｉｇｈ  ｄｅｆｉｎｉｔｉｏｎ  Ｌｉｎｋ）の規格に応じた通信を行うことを特徴とするＡＶシステム。
【請求項７】
前記アンプ機器の無線通信手段は、前記携帯情報機器とＢｌｕｅｔｏｏｔｈの規格に応じた通信を行うことを特徴とする請求項６に記載のＡＶシステム。
【発明の詳細な説明】
【技術分野】
【０００１】
本発明は、無線通信用のインタフェースと有線通信用のインタフェースの両方に対応し、どちらのインタフェースで受信した音声信号も増幅して出力することが可能なアンプ機器、及びそのアンプ機器を含むＡＶシステムに関する。
【背景技術】
【０００２】
従来から、Ｂｌｕｅｔｏｏｔｈ等の無線通信用のインタフェースと、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の有線通信用のインタフェースの両方に対応し、どちらのインタフェースで受信した音声信号も増幅して出力することが可能なＡＶアンプ等のアンプ機器が知られている。一方、近年、ＢｌｕｅｔｏｏｔｈのＡ２ＤＰ（Ａｓｖａｎｃｅｄ  Ａｕｄｉｏ  Ｄｉｓｔｒｉｂｕｔｉｏｎ  Ｐｒｏｆｉｌｅ）と、ＭＨＬ（Ｍｏｂｉｌｅ  Ｈｉｇｈ  ｄｅｆｉｎｉｔｉｏｎ  Ｌｉｎｋ）の両方に対応した携帯電話機等の携帯情報機器が登場してきている。
【０００３】
ここで、上記のＡ２ＤＰは、Ｂｌｕｅｔｏｏｔｈのプロファイルの中でも、「ハイクオリティオーディオ」のためのプロファイルであり、非同期で音声データの転送を行うことにより、データ転送効率を上げて音質の向上を図っている。また、ＭＨＬは、携帯情報機器とテレビジョン受像機等の表示機器とを接続するために用いられる携帯情報機器向けの高速映像音声伝送用のインタフェースの規格であり、携帯情報機器側のコネクタとして、携帯情報機器に既存のマイクロＵＳＢコネクタを用いることが可能である。
【０００４】
上記のＢｌｕｅｔｏｏｔｈのＡ２ＤＰとＭＨＬの両方に対応した携帯電話機等の携帯情報機器から、ＢｌｕｅｔｏｏｔｈのＡ２ＤＰとＨＤＭＩ１．４（ＡＲＣ（Ａｕｄｉｏ  Ｒｅｔｕｒｎ  Ｃｈａｎｎｅｌ）に対応）の両方に対応したアンプ機器に音声信号を送信する場合には、（１）ＢｌｕｅｔｏｏｔｈのＡ２ＤＰを用いて、携帯情報機器からアンプ機器に無線で音声信号を送信してもよいし、（２）携帯情報機器と表示機器とをＭＨＬの規格に応じたマイクロＵＳＢケーブルで接続すると共に、表示機器とアンプ機器とをＨＤＭＩケーブルで接続して、表示機器を介して携帯情報機器からアンプ機器に有線のみを使用した有線経路で音声信号を送信してもよい。
【０００５】
しかしながら、上記（１）のように、ＢｌｕｅｔｏｏｔｈのＡ２ＤＰを用いて、携帯情報機器からアンプ機器に無線で音声信号を送信した場合には、上記（２）のように、携帯情報機器からアンプ機器に有線のみを使用した有線経路で音声信号を送信した場合と比べて、通信障害が起こり易い。また、上記の音声信号に対応した映像信号を、上記のＭＨＬの規格に応じたマイクロＵＳＢケーブルを介して、上記の携帯情報機器から表示機器に送信して映像を表示させた場合には、上記（１）のように、ＢｌｕｅｔｏｏｔｈのＡ２ＤＰを用いて、携帯情報機器からアンプ機器に無線で音声信号を送信する方法では、上記（２）のように、表示機器を介して携帯情報機器からアンプ機器に（表示機器に送信された映像信号に対応した）音声信号を送信する方法と比べて、（表示機器に表示される）映像と（アンプ機器を介してスピーカから出力される）音声にずれが生じ易い。
【０００６】
ところで、この種のＡＶシステムにおいて、上記のＢｌｕｅｔｏｏｔｈのＡ２ＤＰに関連する発明としては、下記の特許文献１に示されるものが知られている。また、Ｂｌｕｅｔｏｏｔｈに関連する発明としては、下記の特許文献２及び３に示されるものが知られている。けれども、これらの特許文献１乃至３に示される発明では、上記の問題を解消することはできない。
【先行技術文献】
【特許文献】
【０００７】
【特許文献１】特開２０１０−６８４０６号公報
【特許文献２】特開２０１０−３２９４１号公報
【特許文献３】特開２００３−８７８７４号公報
【発明の概要】
【発明が解決しようとする課題】
【０００８】
本発明は、上記課題を解決するものであり、携帯情報機器から、無線の経路と、有線経路の両方の経路で音声信号を受信することができるときに、音声信号の取得経路を自動的に有線経路にすることができるようにして、安定した通信を行うことができ、しかも、表示機器に表示される映像とアンプ機器を介してスピーカから出力される音声にずれが生じにくいアンプ機器、及びそのアンプ機器を含むＡＶシステムを提供することを目的とする。
【課題を解決するための手段】
【０００９】
上記課題を解決するために、請求項1の発明は、携帯情報機器と無線で通信するための無線通信手段と、前記携帯情報機器に有線で接続された表示機器と有線で通信するための有線通信手段とを備え、前記表示機器と有線で接続されたときに、前記表示機器を介して前記携帯情報機器から、有線のみを使用した有線経路で音声信号を受信可能であり、前記有線経路を介して前記有線通信手段により前記携帯情報機器から受信した音声信号、又は前記無線通信手段により前記携帯情報機器から受信した音声信号を、増幅して出力するアンプ機器において、前記無線通信手段により前記携帯情報機器から音声信号を受信することができるときに、前記有線経路を介して前記有線通信手段により前記携帯情報機器から音声信号を受信することができるか否かを判定する有線経路使用可否判定手段と、前記有線経路使用可否判定手段により、前記有線経路を介して前記携帯情報機器から音声信号を受信することができると判定されたときに、前記携帯情報機器からの音声信号の取得経路を、前記無線通信手段による無線の経路から、前記有線経路に切り換える音声信号取得経路切換手段とをさらに備えるものである。
【００１０】
請求項２の発明は、請求項１に記載のアンプ機器において、前記有線経路使用可否判定手段は、前記有線経路を介して前記有線通信手段により受信した機器情報と、前記無線通信手段により前記携帯情報機器から受信した機器情報とに基づいて、前記有線経路を介して前記有線通信手段により受信した機器情報の中に、前記携帯情報機器についての機器情報が含まれていると判定したときに、前記有線経路を介して前記有線通信手段により前記携帯情報機器から音声信号を受信することができると判定するものである。
【００１１】
請求項３の発明は、請求項１又は請求項２に記載のアンプ機器において、前記表示機器と前記有線経路とを介して前記有線通信手段により前記携帯情報機器から受信する音声信号は、前記表示機器が前記携帯情報機器から受信する映像信号と同期がとれた信号であるものである。
【００１２】
請求項４の発明は、請求項１乃至請求項３のいずれか一項に記載のアンプ機器において、前記表示機器とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続されており、前記有線通信手段は、前記表示機器とＨＤＭＩの規格に応じた通信を行うものである。
【００１３】
請求項５の発明は、請求項１乃至請求項４のいずれか一項に記載のアンプ機器において、前記無線通信手段は、前記携帯情報機器とＢｌｕｅｔｏｏｔｈの規格に応じた通信を行うものである。
【００１４】
請求項６の発明は、請求項４に記載のアンプ機器と携帯情報機器と表示機器とを含むＡＶ（Ａｕｄｉｏ  ａｎｄ  Ｖｉｓｕａｌ）システムにおいて、前記携帯情報機器と前記表示機器とは、ＭＨＬ（Ｍｏｂｉｌｅ  Ｈｉｇｈ  ｄｅｆｉｎｉｔｉｏｎ  Ｌｉｎｋ）の規格に応じた通信を行うものである。
【００１５】
請求項７の発明は、請求項６に記載のＡＶシステムにおいて、前記アンプ機器の無線通信手段は、前記携帯情報機器とＢｌｕｅｔｏｏｔｈの規格に応じた通信を行うものである。
【発明の効果】
【００１６】
請求項１の発明によれば、無線通信手段により携帯情報機器から無線の経路で音声信号を受信することができる場合でも、有線経路を介して有線通信手段により携帯情報機器から音声信号を受信することができるか否かを判定して、有線経路を介して携帯情報機器から音声信号を受信することができると判定されたときに（携帯情報機器から、無線の経路と、有線経路の両方の経路で音声信号を受信することができるときに）、携帯情報機器からの音声信号の取得経路を、無線の経路から、有線経路に自動的に切り換えることができる。これにより、無線の経路で携帯情報機器からの音声信号を受信した場合と比べて、安定した通信を行うことができる。しかも、表示機器と有線経路とを介して携帯情報機器から受信する音声信号は、表示機器が携帯情報機器から受信する映像信号と同期がとれた信号である確率が高いので、表示機器に表示される映像とアンプ機器を介してスピーカから出力される音声にずれが生じにくい。また、ユーザが、手動で、携帯情報機器からの音声信号の取得経路を、無線の経路から有線経路に切り換える操作を行う場合と比べて、ユーザによる操作の手間を軽減することができる。
【００１７】
請求項２の発明によれば、実際に有線経路を介して受信した機器情報の中に、上記の携帯情報機器についての機器情報が含まれていると判定したときに、有線経路を介して携帯情報機器から音声信号を受信することができると判定するようにしたので、有線経路を介して携帯情報機器から音声信号を受信することができるか否かを正確に判定することができる。
【００１８】
請求項３の発明によれば、表示機器と有線経路とを介して携帯情報機器から受信する音声信号は、表示機器が携帯情報機器から受信する映像信号と同期がとれた信号であるため、表示機器に表示される映像とアンプ機器を介してスピーカから出力される音声にずれが生じにくい。
【００１９】
請求項４及び５の発明によれば、上記に記載の効果を的確に得ることができる。
【００２０】
請求項６及び７の発明によれば、アンプ機器と携帯情報機器と表示機器とを含むＡＶシステムにおいて、上記に記載の効果を的確に得ることができる。
【図面の簡単な説明】
【００２１】
【図１】本発明の一実施形態に係るＡＶアンプを含むＡＶシステムの電気的ブロック構成図。
【図２】上記ＡＶシステムにおける無線と有線による各機器間の接続と、送受信される信号の内容を示す説明図。
【図３】上記ＡＶアンプの音声信号取得経路自動切換処理のフローチャート。
【発明を実施するための形態】
【００２２】
以下、本発明の一実施形態について、図面を参照して説明する。以下の実施形態では、本発明をＡＶ（Ａｕｄｉｏ  ａｎｄ  Ｖｉｓｕａｌ）アンプ、及びこのＡＶアンプと携帯電話機と液晶ディジタルテレビジョン受像機とを含むＡＶシステムに適用した場合の例について説明する。なお、以下に記載した実施形態は、本発明を網羅するものではなく、本発明は、下記の形態だけに限定されない。
【００２３】
図１は、本実施形態によるアンプ機器であるＡＶアンプを含むＡＶシステムを示す。このＡＶシステム１０は、主に、ＡＶアンプ１（アンプ機器）と、携帯電話機２（携帯情報機器）と、液晶ディジタルテレビジョン受像機３（以下、ＴＶ受像機という）（請求項における表示機器）とから構成されている。ＡＶアンプ１とＴＶ受像機３は、いずれもＡＲＣ（Ａｕｄｉｏ  Ｒｅｔｕｒｎ  Ｃｈａｎｎｅｌ）の機能を有するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）１．４に対応しており、ＡＶアンプ１とＴＶ受像機３との間は、ＨＤＭＩケーブル４で接続されている。上記のＡＲＣの機能を用いることにより、ＨＤＭＩケーブル４を介して、ＴＶ受像機３（シンク側の機器）からＡＶアンプ１（ソース側の機器）へ音声信号を送信することができる。
【００２４】
また、携帯電話機２とＴＶ受像機３は、いずれもＭＨＬ（Ｍｏｂｉｌｅ  Ｈｉｇｈ  ｄｅｆｉｎｉｔｉｏｎ  Ｌｉｎｋ）に対応しており、携帯電話機２とＴＶ受像機３との間は、ＭＨＬの規格に応じた通信を行うことが可能なマイクロＵＳＢケーブル５で接続可能である（図中では、携帯電話機２とＴＶ受像機３との間をマイクロＵＳＢケーブル５で接続した状態を示している）。従って、ＡＶアンプ１と携帯電話機２との間は、ＨＤＭＩケーブル４とＴＶ受像機３とマイクロＵＳＢケーブル５とを介して（有線のみを使用した有線経路（ＨＤＭＩケーブル４とマイクロＵＳＢケーブル５から構成される経路）で）接続可能である。
【００２５】
また、ＡＶアンプ１と携帯電話機２は、いずれもＢｌｕｅｔｏｏｔｈのＡ２ＤＰ（Ａdｖａｎｃｅｄ  Ａｕｄｉｏ  Ｄｉｓｔｒｉｂｕｔｉｏｎ  Ｐｒｏｆｉｌｅ）に対応しており、ＡＶアンプ１と携帯電話機２とは、図中の無線経路６を介して、ＢｌｕｅｔｏｏｔｈのＡ２ＤＰの規格に応じた無線通信を行うことができる。
【００２６】
ＡＶアンプ１は、装置全体の制御を行うＣＰＵ１１（有線経路使用可否判定手段）と、携帯電話機２との間でＢｌｕｅｔｏｏｔｈのＡ２ＤＰの規格に応じた無線通信を行うためのインタフェース回路であるＢｌｕｅｔｏｏｔｈ通信部１２（無線通信手段）と、ＴＶ受像機３とＨＤＭＩケーブル４を介してＨＤＭＩの規格に応じた通信を行うためのインタフェース回路であるＨＤＭＩ通信部１３（有線通信手段）と、ＡＶアンプ１とＴＶ受像機３との間を光ディジタルケーブル９で接続した場合に、ＴＶ受像機３から光ディジタル信号形式の音声信号を受信して、通常のディジタル信号形式の音声信号に変換する外部音声入力部１４と、音声信号の取得経路を切り換えるための入力切換部１５とを備えている。上記のＨＤＭＩ通信部１３には、ＨＤＭＩケーブル４の一端が接続されるＨＤＭＩコネクタ１３ａが設けられている。上記のＣＰＵ１１と入力切換部１５とが、請求項における音声信号取得経路切換手段に相当する。
【００２７】
また、ＡＶアンプ１は、入力切換部１５を介して入力された音声信号に対して、各種の音声信号処理を行う音声信号処理回路１６と、音声信号処理回路１６から入力されたディジタル形式の音声信号をアナログ形式の音声信号に変換するＤ／Ａコンバータ１７と、Ｄ／Ａコンバータ１７から出力された音声信号を増幅するアンプ１８とを備えている。ＡＶアンプ１には、アンプ１８で増幅された音声信号（駆動信号）に駆動されて音声を出力するスピーカ８が接続されている。
【００２８】
また、ＡＶアンプ１は、後述する無線機器情報２２や有線機器情報２３等の各種データや、後述する音声信号取得経路自動切換処理を行うためのプログラムである音声信号取得経路自動切換ＰＧ２４等の制御プログラムを記憶するメモリ１９と、ＡＶアンプ１の装置各部に電力を供給する電源２０とを備えている。また、ＡＶアンプ１には、ユーザがＡＶアンプ１に対する各種の指示操作を行うための操作部２１と、ワーニング情報やガイダンス情報を含む各種の情報を表示するための表示部２５が設けられている。
【００２９】
携帯電話機２は、ＡＶアンプ１との間でＢｌｕｅｔｏｏｔｈのＡ２ＤＰの規格に応じた無線通信を行うためのインタフェース回路であるＢｌｕｅｔｏｏｔｈ通信部３１と、ＴＶ受像機３との間でマイクロＵＳＢケーブル５を介して、ＭＨＬの規格に応じた通信を行うためのインタフェース回路であるＭＨＬ通信部３２と、タッチパネル兼用の表示部３３とを有している。ＭＨＬ通信部３２には、マイクロＵＳＢケーブル５の一端が接続されるマイクロＵＳＢコネクタ３２ａが設けられている。
【００３０】
ＴＶ受像機３は、装置全体の制御を行うＣＰＵ４１と、装置各部に電力を供給する電源４２とを備えている。また、ＴＶ受像機３は、アンテナ７を介してディジタルテレビジョン放送信号（トランスポートストリーム）を受信するためのチューナ４４と、チューナ４４で受信したトランスポートストリーム中のパケットをデコードすることにより、映像ストリーム、音声ストリーム、データストリームを生成するＭＰＥＧデコーダ４５とを備えている。
【００３１】
また、ＴＶ受像機３は、ＨＤＭＩの規格に応じた通信を行うためのインタフェース回路であるＨＤＭＩ通信部５９と、携帯電話機２との間でＭＨＬの規格に応じた通信を行うためのインタフェース回路であるＭＨＬ通信部６０とを備えている。ＨＤＭＩ通信部５９には、ＨＤＭＩケーブル４の一端が接続されるＨＤＭＩコネクタ５９ａが設けられている。ＭＨＬ通信部６０には、マイクロＵＳＢケーブル５の一端が接続されるＵＳＢコネクタ６０ａが設けられている。また、ＴＶ受像機３は、入力切換部４６を有しており、この入力切換部４６は、ＣＰＵ４１による制御に応じて、ＭＰＥＧデコーダ４５で生成された映像ストリーム、マイクロＵＳＢケーブル５を介してＭＨＬ通信部６０により受信した映像信号、又は（ＨＤＭＩ通信部５９が外部機器から映像信号を受信した場合には、）ＨＤＭＩ通信部５９により受信した映像信号のいずれか一つを、選択的に映像信号処理回路４７に出力する。また、入力切換部４６は、ＣＰＵ４１による制御に応じて、ＭＰＥＧデコーダ４５で生成された音声ストリーム、マイクロＵＳＢケーブル５を介してＭＨＬ通信部６０により受信した音声信号、又は（ＨＤＭＩ通信部５９が外部機器から音声信号を受信した場合には、）ＨＤＭＩ通信部５９により受信した音声信号のいずれか一つを、選択的に音声信号処理回路５０、ＨＤＭＩ通信部５９、又は音声出力部６１に出力する機能も有している。
【００３２】
また、ＴＶ受像機３は、入力切換部４６から出力された映像信号に対して画像処理等の各種の処理を施して、これらの処理後の映像信号を再生する映像信号処理回路４７と、映像信号処理回路４７から受信した映像信号に基づいて表示用電極を駆動する電極駆動回路４８と、映像信号処理回路４７による映像信号処理後の映像信号に基づく映像を表示する液晶表示パネル４９とを備えている。
【００３３】
さらにまた、ＴＶ受像機３は、入力切換部４６を介して入力された音声信号に対して、各種の音声信号処理（入力された音声信号がディジタル形式の音声信号である場合には、Ｄ／Ａ変換処理も含む）を行う音声信号処理回路５０と、音声信号処理回路５０から出力された音声信号を増幅するアンプ５１と、アンプ５１で増幅された音声信号（駆動信号）に駆動されて音声を出力する内蔵の本体スピーカ５２とを備えている。
【００３４】
上記のＴＶ受像機３は、各種の指示操作に用いられるリモコン５４を有しており、ＴＶ受像機３の本体側には、リモコン５４からのリモコン信号を受信するためのリモコン信号受信部５５が設けられている。また、ＴＶ受像機３は、各種のデータや制御用のプログラムを記憶するためのメモリ５６を有している。
【００３５】
また、ＴＶ受像機３は、ＡＶアンプ１等の外部出力機器に光ディジタル信号形式の音声信号を出力するためのＳ／ＰＤＩＦ（Ｓｏｎｙ  Ｐｈｉｌｉｐｓ  Ｄｉｇｉｔａｌ  ＩｎｔｅｒＦａｃｅ）端子を有する音声出力部６１を有している。
【００３６】
上記のＡＶシステム１０では、図２に示されるように、ＡＶアンプ１は、携帯電話機２から、無線経路６を介して、ＢｌｕｅｔｏｏｔｈのＡ２ＤＰの規格に応じた無線通信により、音声信号を受信することもできるし、携帯電話機２とＴＶ受像機３との間をマイクロＵＳＢケーブル５で接続した場合には、携帯電話機２から、マイクロＵＳＢケーブル５とＴＶ受像機３とＨＤＭＩケーブル４とを介して、有線経路（マイクロＵＳＢケーブル５とＨＤＭＩケーブル４から構成される経路）で音声信号を受信することもできる。ＡＶアンプ１は、有線経路を介して携帯電話機２から受信した音声信号、又はＢｌｕｅｔｏｏｔｈのＡ２ＤＰの規格に応じた無線通信で携帯電話機２から受信した音声信号を、増幅して出力する。
【００３７】
次に、上記図１及び図２に加えて、図３のフローチャートを参照して、本ＡＶアンプ１において行われる音声信号取得経路自動切換処理について説明する。今、ＡＶアンプ１とＴＶ受像機３との間については、ＨＤＭＩケーブル４で接続しているが、携帯電話機２とＴＶ受像機３との間をマイクロＵＳＢケーブル５で接続していないとする。この状態において、携帯電話機２とＡＶアンプ１との間を、ＢｌｕｅｔｏｏｔｈのＡ２ＤＰ（の規格に応じた無線通信）で接続すると、この接続が確立した時点で（図３のＳ１でＹＥＳ）、ＡＶアンプ１のＣＰＵ１１は、無線経路６を介して携帯電話機２から受信した音声信号に基づく音声をスピーカ８に出力すると共に、無線経路６を介して携帯電話機２から、携帯電話機２の識別用の機器情報を取得して（Ｓ２）、メモリ１９に無線機器情報２２として記憶する。上記Ｓ１における接続が確立した状態が、請求項における「無線通信手段により前記携帯情報機器から音声信号を受信することができるとき」に相当する。
【００３８】
上記の状態において、携帯電話機２とＴＶ受像機３との間を、マイクロＵＳＢケーブル５でつないで、ＭＨＬの規格に応じた接続が確立すると、接続が確立された直後には、ＴＶ受像機３は、携帯電話機２からマイクロＵＳＢケーブル５を介して受信した映像信号に基づく映像のみを（液晶表示パネル４９上に）出力し、ＡＶアンプ１は、無線経路６を介して携帯電話機２から受信した音声信号に基づく音声をスピーカ８に出力した状態を維持する。しかし、ＭＨＬの規格に応じた接続が確立すると（Ｓ３でＹＥＳ）、ＡＶアンプ１のＣＰＵ１１は、ＨＤＭＩケーブル４を介してＴＶ受像機３から、何らかの機器がＴＶ受像機３に接続されたことを示す情報を受信して、ＨＤＭＩの（通信を経由した）ネットワーク上に（マイクロＵＳＢケーブル５とＨＤＭＩケーブル４から構成される有線経路上に）存在するデバイスの中に、携帯電話機２が存在するか否かを判定する。具体的には、ＡＶアンプ１のＣＰＵ１１は、上記の有線経路上に存在するデバイスについての機器情報をＨＤＭＩ通信部１３により取得（受信）して（Ｓ４）、メモリ１９に有線機器情報２３として記憶し、有線機器情報２３の中に、携帯電話機２についての機器情報（無線機器情報２２と同じ内容の機器情報）が含まれていると判定したときに、ＨＤＭＩの通信を経由したネットワーク上に（有線経路上に）携帯電話機２が存在すると判定する。
【００３９】
ＡＶアンプ１のＣＰＵ１１は、上記のように有線経路上に携帯電話機２が存在すると判定した場合は（Ｓ５でＹＥＳ）、有線経路を介してＨＤＭＩ通信部１３により携帯電話機２から音声信号を受信することができると判定して、入力切換部１５に制御信号を送って、携帯電話機２からの音声信号の取得経路を、Ｂｌｕｅｔｏｏｔｈ通信部１２による無線の経路から、マイクロＵＳＢケーブル５とＨＤＭＩケーブル４から構成される有線経路に切り換える。
【００４０】
これに対して、ＨＤＭＩの通信を経由したネットワーク上（有線経路上）において、携帯電話機２が消失してしまった場合（ＡＶアンプ１のＨＤＭＩコネクタ１３ａからＨＤＭＩケーブル４を外した場合や、ＴＶ受像機３のＵＳＢコネクタ６０ａからマイクロＵＳＢケーブル５を外した場合）には（Ｓ７でＹＥＳ）、ＡＶアンプ１のＣＰＵ１１は、入力切換部１５に制御信号を送って、携帯電話機２からの音声信号の取得経路を、上記の有線経路から、Ｂｌｕｅｔｏｏｔｈ通信部１２による無線の経路に切り換える（戻す）（Ｓ８）。
【００４１】
上記のように、本実施形態のＡＶアンプ１によれば、Ｂｌｕｅｔｏｏｔｈ通信部１２により携帯電話機２から無線の経路で音声信号を受信することができる場合でも、有線経路を介してＨＤＭＩ通信部１３により携帯電話機２から音声信号を受信することができるか否かを判定して、有線経路を介して携帯電話機２から音声信号を受信することができると判定されたときに（携帯電話機２から、無線の経路と、有線経路の両方の経路で音声信号を受信することができるときに）、携帯電話機２からの音声信号の取得経路を、無線の経路から、有線経路に自動的に切り換えることができる。これにより、無線の経路で携帯電話機２からの音声信号を受信した場合と比べて、安定した通信を行うことができる。しかも、ＴＶ受像機３と有線経路とを介して携帯電話機２から受信する音声信号は、ＴＶ受像機３が携帯電話機２から受信する映像信号と同期がとれた信号であるため、ＴＶ受像機３に表示される映像とＡＶアンプ１を介してスピーカ８から出力される音声にずれが生じにくい。
【００４２】
また、本実施形態のＡＶアンプ１によれば、実際に有線経路を介して受信した機器情報の中に、上記の携帯電話機２についての機器情報が含まれていると判定したときに、有線経路を介して携帯電話機２から音声信号を受信することができると判定するようにしたので、有線経路を介して携帯電話機２から音声信号を受信することができるか否かを正確に判定することができる。
【００４３】
なお、本発明は、上記実施形態の構成に限られず、発明の趣旨を変更しない範囲で種々の変形が可能である。例えば、上記実施形態では、ＡＶアンプ１とＴＶ受像機３との間を、ＨＤＭＩケーブル４で接続したが、ＡＶアンプ１とＴＶ受像機３との間は、光ディジタルケーブル９でも接続可能であり、ＡＶアンプ１は、この光ディジタルケーブル９とＴＶ受像機３とマイクロＵＳＢケーブル５とを介して（光ディジタルケーブル９とマイクロＵＳＢケーブル５から構成される有線経路で）、携帯電話機２から音声信号を受信するようにしてもよい。また、上記実施形態では、請求項における表示機器が液晶ディジタルテレビジョン受像機である場合の例を示したが、表示機器は、これに限られず、例えば、プラズマディスプレイを用いたテレビジョン受像機であってもよいし、有機ＥＬディスプレイを用いたテレビジョン受像機であってもよい。
【符号の説明】
【００４４】
１    ＡＶアンプ（アンプ機器）
２    携帯電話機（携帯情報機器）
３    ＴＶ受像機（表示機器）
４    ＨＤＭＩケーブル
１０  ＡＶシステム
１１  ＣＰＵ（有線経路使用可否判定手段、音声信号取得経路切換手段）
１２  Ｂｌｕｅｔｏｏｔｈ通信部（無線通信手段）
１３  ＨＤＭＩ通信部（有線通信手段）
１５  入力切換部（音声信号取得経路切換手段）
２２  無線機器情報
２３  有線機器情報
【図１】
2012227571.tif 000003
【図２】
2012227571.tif 000004
【図３】
2012227571.tif 000005